(57)【要約】【課題】本発明の目的は、不正にトークン等のディスクを入手することを防止することである。【解決手段】係止部を有するディスクの送り出し用の回転ディスク、前記回転ディスクの側方に配置された第１ガイド、前記第１ガイドと前記回転ディスクの側方に位置し、第１ガイドから前記ディスクの直径以下の距離離れた待機位置と前記ディスクによって移動される払出位置とへ移動でき、かつ、ディスク通過センサを構成する第２ガイド、前記第２ガイドの移動に連動して前記係止部の移動経路に突出するストッパと、を有するディスクホッパの不正防止装置である。【選択図】        図１
2004157734.tif 000002
【特許請求の範囲】
【請求項１】
係止部（１５）を有するディスク（Ｄ）の送り出し用の回転ディスク（１１４）、
前記回転ディスク（１１４）の側方に配置された第１ガイド（１２４）、
前記第１ガイド（１２４）及び前記回転ディスク（１１４）の側方に位置し、第１ガイド（１２４）から前記ディスク（Ｄ）の直径以下の距離離れた待機位置（Ｓ）と前記ディスク（Ｄ）によって移動される払出位置（Ｐ）とに移動でき、かつ、ディスク通過センサ（１３８）を構成する第２ガイド（１２７）、
前記第２ガイド（１２７）の移動に連動して前記係止部（１５）の移動経路（２０）に突出するストッパ（２８）と、
を有するディスクホッパの不正防止装置。
【請求項２】
前記回転ディスク（１１４）は、等間隔に形成された複数の通孔（１１５）と、回転軸線（１３）を中心とする円（１４）上に形成され、かつ、前記通孔（１１５）に相対して形成された複数の係止部（１５）を有する請求項１のディスクホッパの不正防止装置。
【請求項３】
前記係止部（１５）は、回転ディスク（１１４）の下面（１２）から下方に向かって突出する突起である請求項２のディスクホッパの不正防止装置。
【請求項４】
前記係止部（１５）の一部が平面（１６）であり、かつ、前記ストッパ（２８）一部が平面（２９）であり、それら平面どうしが面接触可能である請求項２のディスクホッパの不正防止装置。
【請求項５】
前記第２ガイド（１２７）とストッパ（２８）が一体に形成され、前記第２ガイド（１２７）が前記第１ガイド（１２４）に近づくよう弾性的に付勢される請求項１のディスクホッパの不正防止装置。
【請求項６】
前記第２ガイド（１２７）と、前記ストッパ（２８）と、ディスク通過センサ（１３８）の作用片（１３６）が一体に形成され、前記第２ガイド（１２７）が前記第１ガイド（１２４）に近づくよう弾性的に付勢される請求項１のディスクホッパの不正防止装置。
【請求項７】
前記第１ガイド（１２４）が実質固定状態である請求項１のディスクホッパの不正防止装置。
【請求項８】
前記ストッパ（２８）を有する第三レバー（２７）が、フレキシブル接続部（３１）を有する請求項１のディスクホッパの不正防止装置。
【発明の詳細な説明】
【０００１】
【発明が属する技術分野】
本発明は、ディスクを１個ずつ区分けして払い出すディスクホッパに関する。さらに詳しくは、ディスク通過センサを故意に移動させて行う不正を防止出来るディスクホッパに関する。
なお、本明細書で使用する「ディスク」は、通貨であるコインの他、ゲーム機のメダルやトークン等の代用貨幣または類似のものを包含する。
【０００２】
【従来の技術】
ディスクホッパは、例えばゲーム機に内蔵される。
図７において、ゲーム機１００にディスクホッパ１０１が内蔵されている。
ディスク投入口１０３に投入されたディスクＤは、公知のセレクタにより真偽を判別され、真ディスクはディスクホッパ１０１へガイドされ、偽ディスクは放出口１０２に返却される。
ディスクホッパ１０１は、例えば米国特許第６１９３５９８号に開示のものである。
【０００３】
ディスクホッパ１０１の概要を、図８を参照して説明する。
水平配置されるベース１１０に固定されたフレーム１１１に水平に対し斜めに矩形のホッパベース１１２が取り付けられている。
ホッパベース１１２の表面側にディスク送り出し装置１１３を構成する円盤状の回転ディスク１１４が配置されている。
【０００４】
回転ディスク１１４は、図示しないモーターによって減速機を介して回転駆動される。
回転ディスク１１４には、等間隔に円形の通孔１１５が形成されている。
回転ディスク１１４は、ホッパベース１１２に形成された円形の装着穴１１６内に配置されている。
【０００５】
回転ディスク１１４の裏面には、ディスク押し出し用の突起（図示せず）が通孔１１５のそれぞれに相対して形成されている。
また、ホッパベース１１２を貫通して回転ディスク１１４に向かって伸びる規制ピン１１７、１１８が配置されている。
規制ピン１１７、１１８は、ホッパベース１１２の裏面に固定した片持ち板バネ１１９の先端部に固定されている。
【０００６】
ホッパベース１１２にバケツ状のディスクボウル１２０が着脱可能に固定されている。
ディスクボウル１２０の下端部１２１は、装着穴１１６とほぼ同一径で斜め上方に向かって伸びており、その上端部は四角形状に拡大する貯留部１２２が形成され、その上面はディスク投入開口１２３になっている。
【０００７】
装着穴１１６の一側壁が開口され、そこに第１ガイド１２４が配置されている。
第１ガイド１２４は、ホッパベース１１２に固定された軸１２５に回転可能に支持された固定ローラ１２６である。
回転ディスク１１４及び第１ガイド１２４の側方に第２ガイド１２７が配置されている。
【０００８】
第２ガイド１２７は、ホッパベース１１２の弧状長孔１２８を貫通するシャフト１２９に回転可能に取り付けた移動ローラ１３０である。
シャフト１２９は、ホッパベース１１２の下方に配置され、軸１３１を中心に揺動可能なレバー１３２に固定されている。
レバー１３２は、ホッパベース１１２に固定したピン１３３との間に掛けられたスプリング１３４によって、移動ローラ１３０が固定ローラ１２６に近づくよう付勢されている。
【０００９】
ディスクＤが固定ローラ１２６と移動ローラ１３０との間を通過しないとき、レバー１３２がストッパ１３５に係止されている。
このとき、固定ローラ１２６と移動ローラ１３０との周面間の距離はディスクＤの直径よりも小さい。
レバー１３２と一体に形成された作用片１３６は、ディスクＤによって移動ローラ１３０が移動されたとき、センサ１３７がパルス状の検知信号を出力する。
すなわち、作用片１３６がセンサ１３７に検知された後、非検知状態になった場合、パルス信号を出力する。
【００１０】
第２ガイド１２７、作用片１３６及びセンサ１３７でディスク通過センサ１３８が構成されている。
この通過センサ１３８のパルス信号に基づいて、ディスクが１個払い出されたことを判定する。
ホッパベース１１２の側面にディスクの払出口１３９が配置されている。
【００１１】
次にゲーム機１００におけるディスクＤの流れを説明する。
プレイヤーは、ディスク投入口１０３にディスクＤを投入してゲームを行う。
投入されたディスクＤは、図示しないダクトにより案内されて投入開口１２３から貯留部１２２に到達する。
プレイにより当選すると、ゲーム機１００の制御回路（図示せず）はディスクＤの払い出し信号を出力する。
【００１２】
ゲーム機１００の制御回路からディスクの払い出し信号を受けた場合、ディスクホッパ１０１のモーター（図示せず）が作動し、回転ディスク１１４が図９において時計方向（図１０において反時計方向）に回転される。
回転ディスク１１４の回転により、ディスクＤは通孔１１５に落下し、押し出し用の突起により押されてホッパベース１１２の上面を滑りつつ装着穴１１６の周面に案内されて規制ピン１１７及び１１８に達する。
【００１３】
ディスクＤは、規制ピン１１７及び１１８によって装着穴１１６の周方向に案内され、第１ガイド１２４と第２ガイド１２７との間に達する。
これにより、固定ローラ１２６は固定であるので、移動ローラ１３０がディスクＤによって図９において右斜め上方へ移動される。
ディスクＤは、その最大直径が固定ローラ１２６と移動ローラ１３０との間を通過した直後にスプリング１３４によって移動ローラ１３０を介して弾き出され、そして払出口１３９から払い出される。
【００１４】
ディスクＤによって第２ガイド１２７が移動されるとき、レバー１３２と一体にピボット運動する作用片１３６は、センサ１３７に検知された後、その検知が解消さるので、センサ１３７がパルス信号である検知信号を出力する。
この検知信号を受けた図外のカウンタは、放出ディスク数「１」をカウントする。
【００１５】
カウンタから放出数の信号を受けたゲーム機１００の制御回路は、カウント値が放出所定数になった場合、ディスクＤの放出を終了するため、モーターの回転を停止する。
払出口１３９から払い出されたディスクＤは、図示しないダクトを通ってディスク放出口１０２に達する。
【００１６】
【発明が解決しようとする課題】
ゲーム機１００における不正は、放出口１０２からフレキシブルな棒を挿入して第２ガイド１２７を故意に移動させ、作用片１３６によるセンサ１３７の検知状態を継続させることによって行なわれる。
すなわち、センサ１３７の出力がパルス状でないため、カウンタは１をカウントしない。
したがって、ゲーム機１００の制御回路は、所定の放出数を判定できないので、モーターの停止信号を出力しないため、連続してディスクＤが払い出される。
これにより、不正者は所定数以上の多くのディスクＤを手に入れる。
【００１７】
本発明の第１の目的は、不正にディスクを多量に入手することを防止することである。
本発明の第２の目的は、不正にディスクを入手することを防止することである。
本発明の第３の目的は、ディスクホッパの不正防止装置を安価に提供することである。
【００１８】
【課題を解決するための手段】
この目的を達成するため本発明のディスクホッパは、以下のように構成されている。
係止部を有するディスクの送り出し用の回転ディスク、前記回転ディスクの側方に実質的に固定状態に配置された第１ガイド、前記第１ガイド及び前記回転ディスクの側方に位置し、かつ、第１ガイドから前記ディスクの直径以下の距離離れた待機位置と前記ディスクによって移動される払出位置とに移動でき、かつ、ディスク通過センサを構成する第２ガイドと、前記第２ガイドの移動に連動して前記係止部の移動経路に突出するストッパと、を有するディスクホッパの不正防止装置である。
【００１９】
この構成によれば、第２ガイドが故意に移動されて第１ガイドからディスクの直径以上離れた場合、その移動に連動してストッパが係止部の移動経路に突出する。
このため、第２ガイドを故意に払出位置に保持させた場合、回転ディスクと一体に回転する係止部がストッパに係止され、回転ディスクが停止される。
【００２０】
したがって、ストッパに係止されたとき、回転ディスクは回転しないので、ディスクが払い出されない。
回転ディスクが停止しない場合、回転ディスクと一体に回転する係止部がストッパを押して第２ガイドを待機位置へ強制的に移動させる。
したがて、第２ガイドの移動によってディスク通過センサは１つの通過信号を出力する。
すなわち、回転ディスクが回転しない場合、ディスク通過センサが通過信号を出力せず、回転ディスクが回転する場合、必ず通過センサが通過信号を出力する。
【００２１】
これにより、回転ディスクの一回転において、少なくとも一回はストッパによって回転ディスクが停止され、或いは通過センサが通過信号を出力するので、無制限にディスクが払い出されることがなく、不正に多量にディスクを入手することを防止できる。
また、回転ディスクに形成した係止部と、第２ガイドの移動に連動して係止部の移動経路に突出するストッパを設けるという簡単な構成であるので、安価に製作できると共に、後付けできるという利点がある。
【００２２】
また本発明は、回転ディスクが、等間隔に形成された複数の通孔と回転軸線を中心とする同一円上に形成され、かつ、前記通孔に相対して形成された係止部を有することが好ましい。
この構成によれば、係止部が通孔にそれぞれ相対して配置されているため、ディスク１個毎に回転ディスクの停止或いは通過センサの通過信号が出力される。したがって、ディスクの払い出し数と通過センサの通過信号数とが同一になるので、ディスクを不正に入手することができない。
また、係止部とストッパという簡単な構成であるので、安価に製造でき、かつ、既存のディスクホッパに装着できる。
【００２３】
また、本発明は、前記係止部が、回転ディスクの下面から下方に向かって突出する突起であることが好ましい。
この構成によれば、係止部が回転ディスクの下面からホッパベースに向かって突出しているので、ストッパとのみ接触可能であるので、ディスクによる摩耗等の弊害がない。
【００２４】
また本発明は、前記係止部の接触部が平面であり、かつ、前記ストッパの接触部が平面であり、それら平面の接触部どうしが面接触可能であることが好ましい。
この構成により、係止部とストッパとが接触する面は、平面であるので、ストッパに係止部が停止されたとき、それらは面接触する。
したがって、衝撃力が面で受けられるので、単位面積当たりの衝撃力が小さく、それらを耐衝撃値の低い樹脂で製作することができ、安価に製造できる。
【００２５】
また本発明は、前記第２ガイドとストッパが一体に形成され、前記第２ガイドが前記第１ガイドに近づくよう弾性的に付勢されることが好ましい。
この構成によれば、第２ガイドとストッパが一体であるので、第２ガイドの移動によってダイレクトにストッパが移動される。
したがって、第２ガイドの移動に連動して回転ディスクを確実に停止することができる。
また、構成部品が少ないので、安価に製造出来る。
【００２６】
また本発明は、前記第２ガイドと、前記ストッパと、ディスク通過センサの作用片が一体に形成され、前記第２ガイドが前記第１ガイドに近づくよう弾性的に付勢されることが好ましい。
この構成によれば、ディスク通過センサの作用片が第２ガイドの移動によってダイレクトに移動される。
したがって、第２ガイドの移動に連動してディスク通過センサが確実に通過信号を出力し、さらに、構成部品が少ないので安価に製造できる。
【００２７】
また本発明は、前記第１ガイドが実質固定状態であることが好ましい。
第１ガイドが実質固定状態の場合、払い出されるディスクの位置が安定するので、第２ガイドの移動量が安定し、ディスク通過センサの検知ミスを防止することができる。
【００２８】
【発明の実施の形態】
図１は、実施例のディスクボウルを外した状態の回転ディスクとホッパベースの正面図である。
図２は、図１の裏面図である。
図３は、実施例の回転ディスクと払出位置のストッパの裏面斜視図である。
図４は、実施例の回転ディスクと払出状態のストッパの裏面図である。
図５は、図４におけるＡ―Ａ断面図である。
図６は、第２実施例の要部概要図である。
【００２９】
従来装置と同一機能部品には、従来装置と同一符号を付し、異なる構造を説明する。
回転ディスク１１４には等間隔に７個の通孔１１５が形成してある。
これら通孔１１５の回転後位側上面１１は、斜面に形成されている。
【００３０】
回転ディスク１１４の裏面１２には、回転軸線１３を中心とする所定半径の円１４上に係止部１５が配置されている。
この係止部１５は、裏面１２から下方に向かって直角に突出する半割円柱状であり、回転方向の前面は係止平面１６になっている。
係止部１５の回転方向後位側には、裏面１２から立ち上がる台形状の補強リブ１７が形成してある。
【００３１】
係止部１５は、その係止平面１６が、通孔１１５の回転後位の縁と回転軸線１３とを結んだ直線１８よりも僅かに回転方向前位に位置するよう配置されている。
さらに、係止部１５は、通孔１１５のそれぞれに相対して設けられている。
【００３２】
係止部１５は、ホッパベース１１２の上面に形成した円形溝１９内を移動する。
この円形溝１９が係止部１５の移動経路２０である。
本実施例のホッパベース１１２は、樹脂によって一体成型することができる。
この場合、係止部１５が後述の移動経路に突出する部位のみが開口する板状に形成できるため、部品強度が高く、かつ、組み立て性に優れている。
【００３３】
回転ディスク１１４の裏面１２には、通孔１１５の回転後位側側縁から周方向に伸び、かつ、下方に向かって僅かに突出する押し出し突起２１が形成されている。
規制ピン１１７の逃げ溝２２、規制ピン１１８の逃げ溝２３が裏面１２に形成されている。
【００３４】
ホッパベース１１２の裏面から下方に突出する固定軸１３１にＹ形のレバー２４がピボット運動可能に取り付けられている。
レバー２４の第一腕２５に移動ローラ１３０のシャフト１２９が固定されている。
第二腕２６の先端部は固定軸１３１を中心とする円弧状に形成された作用片１３６である。
【００３５】
第三腕２７は、固定軸１３１から回転軸線１３側に向かって伸び、その先端は係止部１５の移動経路２０に突出するようＬ形に屈曲されたストッパ２８を構成している。
ストッパ２８の平面２９は、係止平面１６に相対し、ストッパ２８が移動経路２０に位置する場合、それら平面はほぼ面接触する。
第一腕２５とピン１３３との間にスプリング１３４が掛けられ、レバー２４は図２において時計方向に付勢されている。
すなわち、移動ローラ１３０が固定ローラ１２６に近づくように付勢されている。
【００３６】
図２に図示するように、ディスクＤが固定ローラ１２６と移動ローラ１３０との間を通過しないとき、第一腕２５の係止片３０がストッパ１３５に係止される。
このとき、移動ローラ１３０は固定ローラ１２６からディスクＤの直径以下の距離離れた待機位置Ｓに保持される。
また、作用片１３６はセンサ１３７から離れた非検知位置に位置している。
さらに、第三腕２７のストッパ２８は、係止部１５の移動経路２０の外側に位置している。
【００３７】
図４に図示するように、ディスクＤの直径部が固定ローラ１２６と移動ローラ１３０との間に位置したとき、レバー２４は反時計方向に回動され、作用片１３６がセンサ１３７と相対し、ストッパ２８は係止部１５の移動経路２０に突出する。
しかしこのとき、係止部１５はストッパ２８の直前の位置にあり、係止部１５がストッパ２８に停止されることはない。
【００３８】
次に本実施例の作用を説明する。
はじめに正常時のディスクＤの払出を説明する。
図２の状態からさらに、回転ディスク１１４が反時計方向に回転したとき、ディスクＤは規制ピン１１８及び１１７にその移動を阻止されて回転ディスク１１４の周縁方向に案内される。
【００３９】
そして固定ローラ１２６に一側縁を案内されるディスクＤによって、移動ローラ１３０が図２において反時計方向に移動される。
ディスクＤの直径部が固定ローラ１２６と移動ローラ１３０との間に位置したとき、レバー２４が図４の払出位置Ｐまで回動される。
【００４０】
ディスクＤの直径部が通過した直後、スプリング１３４のスプリング力によってレバー２４が時計方向に回動されるので、移動ローラ１３０によってディスクＤは勢いよく払出口１３９へ弾きとばされる。
レバー２４は、ストッパ１３５に係止され、待機位置Ｓに保持される。
【００４１】
すなわち、作用片１３６はセンサ１３７に相対した後、待機位置Ｓに戻るので、センサ１３７はパルス信号を出力する。
図示しないカウンタは、このパルス信号をカウントして、カウント信号を出力する。
【００４２】
ストッパ２８は係止部１５の移動経路２０に突出した後、待機位置Ｓに戻る。
ストッパ２８が移動経路２０に突出したとき、係止部１５はストッパ２８の直前に位置する。
この直後、ストッパ２８は、前記戻り運動によって移動経路２０から急速に外れるので、係止部１５がストッパ２８によって係止されることはない。
【００４３】
次に、移動ローラ１３０が棒によって払出位置Ｐの近傍に保持される不正ケースを説明する。
移動ローラ１３０の移動によってレバー２４が図３及び４のように時計方向へ回動され、ストッパ２８が係止部１５の移動経路２０に突出する。
また、作用片１３６がセンサ１３７に相対し、センサ１３７はＯＮを継続する。
【００４４】
回転ディスク１１４の回転により、ディスクＤが一個払い出されるとともに係止部１５がストッパ２８の平面３０に衝突する。
この時、係止平面１６とストッパ２８の平面２９はほぼ面接触するため、その衝撃は面全体で受けることになる。
したがって、衝撃力は面全体に分散されるため、単位面積当たりの衝撃力が小さく、強度の低い樹脂を採用しても破損することがない。
【００４５】
前記衝突によりレバー２４は図４において時計方向のモーメントを受ける。
通常、前記棒によってこの移動を受け止めることはできず、レバー２４が同方向へ回動されるので、移動ローラ１３０も同方向へ移動される。
【００４６】
これにより作用片１３６がセンサ１３７との相対位置から外れるのでその出力がＯＦＦになり、結果としてセンサ１３７はパルス信号を出力する。
このパルス信号に基づいて図外のカウンタは払い出し数１をカウントする。
すなわち、払出された１個のディスクＤと一致する１がカウントされる。
【００４７】
移動ローラ１３０の戻り運動が阻止された場合、ストッパ２８による係止部１５の係止状態が継続するため、回転ディスク１１４はそれ以上回転出来ず、前記１個のディスクＤのみが払い出される。
この停止状態が継続した場合、モータのオーバーロード検出器がそれを検出し、自動的にモータが停止される。
この他、所定時間以上センサ１３７の出力が変化しないことを検出してモータを停止することができる。
【００４８】
次に図６の第２実施例を説明する。
この実施例は、回転ディスク１１４が逆転される場合でも使用できるよう第３レバー２７にフレキシブル接続部を設けた例である。
【００４９】
フレキシブル接続部３１は、第２レバー３２、軸３３、第３ストッパ３４、突起３５及びスプリング３６を含んでいる。
第三腕２７の先端部にストッパ２８を備える第２レバー３２を軸３３によりピボット運動可能に取り付けてある。
【００５０】
第三腕２７に第２ストッパ３４が固定され、第２レバー３２の突起３５が係止されるようになっている。
第２レバー３２は、スプリング３６によって時計方向に付勢され、突起３５が第２ストッパ３４にストップされ、通常、第三腕２７と一体で回動する。
【００５１】
次に第２実施例の作用を説明する。
係止部１５がストッパ２８を押した場合、突起３５が第２ストッパ３４に係止され、第２レバー３２と第三腕２７とが一体に回動するので、レバー２４は、前記第１実施例同様の機能を発揮する。
【００５２】
ディスクＤが回転ディスク１１４とホッパベース１１２との間に挟まれて回転ディスク１１４がロックした場合、このロック状態を解消するため、回転ディスク１１４が短時間逆転される。
【００５３】
この逆転時にストッパ２８が移動経路２０に位置していた場合、係止部１５の背面によって第２レバー３２は押され、軸３３を支点に反時計方向へピボット運動される。
これにより、第２レバー３２は、係止部１５の移動経路２０から退出するので、回転ディスク１１４は逆転できる。
【００５４】
第２実施例は、回転ディスクク１１４の逆転時にレバー２４が他の部品によって回動をストップされることによるモータの焼損や部品の破損を防止することができる。したがって、フレキシブル接続部３１は、回転ディスク１１４の一方向の回転を阻止し、かつ、逆方向の回転を許す機能を有していればよい。
【００５５】
本発明は、変形が可能である。
例えば、係止部１５は、通孔１１５に相対して一個ずつ配置せず、一個おき、或いは二個おき、さらには、一個であっても良い。
この場合、ディスクの払い出し数とセンサ１３７のパルス信号数とは一致しないが、不正払出数を少数に制限できるので、不正防止効果がある。
【００５６】
係止部１５は、回転ディスク１１４に凹部を形成し、その凹部にレバー２４から突出するストッパ２８を突入させるようにしてもよい。
さらに、回転ディスク１１４はディスク表面に等間隔でディスクの係止ピンを配置したタイプ、例えば米国特許第４５８９４３３号に開示された回転ディスクを用いてもよい。
【００５７】
第１ガイド１２４は、ディスクＤが衝突したときのショックを和らげるため、弾性的に保持することができる。
さらに、第１ガイド１２４と第２ガイド１２７がディスクＤによってほぼ同角度回動される構造であってもよい。
この場合、センサ１３７は、第１ガイド１２４或いは第２ガイド１２７のいずれか一方の回動を検知するようにすればよい。
【００５８】
センサ１３７は、近接スイッチ、光学センサ、磁気センサ、リミットスイッチ等を使用することができる。
【００５９】
さらに、回転ディスクの停止を検知して、警報ランプの点灯、警報スピーカーの発音のうち何れか一つが作動するようにしても良い。
さらに、この他の警報手段により警報を行うようにしてもよい。
【００６０】
【図面の簡単な説明】
【図１】図１は、実施例のディスクボウルを外した状態の回転ディスク等の正面図である。
【図２】図２は、実施例の回転ディスクと待機状態のストッパの裏面図である。
【図３】図３は、実施例の回転ディスクと払出状態のストッパの裏面斜視図である。
【図４】図４は、実施例の回転ディスクと払出状態のストッパの裏面図である。
【図５】図５は、実施例の図４におけるＡ―Ａ断面図である。
【図６】図６は、第２実施例の要部概要図である。
【図７】図７は、ディスクホッパが内蔵されるゲーム機の斜視図である。
【図８】図８は、従来のディスクホッパの斜視図である。
【図９】図９は、従来のディスクホッパのディスクボウルを外した状態の回転ディスクの正面図である。
【図１０】図１０は、従来のディスクホッパのホッパベースの裏面図である。
【符号の説明】
Ｄ        ディスク
Ｐ        払出位置
Ｓ        待機位置
２４      レバー
１２                          裏面
１３                          回転軸線
１４      円
１５      係止部
１６                          係止平面
２０                          移動経路
２７                          平面
２８                          ストッパ
３１      フレキシブル接続部
１１４                          回転ディスク
１１５                          通孔
１２４      第１ガイド
１２７      第２ガイド
１３６                          作用片
１３８                          ディスク通過センサ
【図１】
2004157734.tif 000003
【図２】
2004157734.tif 000004
【図３】
2004157734.tif 000005
【図４】
2004157734.tif 000006
【図５】
2004157734.tif 000007
【図６】
2004157734.tif 000008
【図７】
2004157734.tif 000009
【図８】
2004157734.tif 000010
【図９】
2004157734.tif 000011
【図１０】
2004157734.tif 000012